(57)【特許請求の範囲】
【請求項１】
壁面にハンガーなどを吊り下げる為の組立式吊り具であって、前記組立式吊り具は、支壁面に対し３角形を縦立するように、上下２個の吸盤と上下２本の支持アームからなり、上部吸盤と上部支持アームの一方の先端部は、前記上部吸盤の凸片に連結され、前記上部支持アームの他方の先端部には軸接孔が形成され、下部吸盤の凸片には、一方が棒状で他方に軸接孔が形成された下部支持アームの一方の先端部が支持可能な手段を設け、両端に係止部を有し中央部に吊りフックを有したピンで、前記両支持アームの軸接孔同士を回動可能に連結したことを特徴とする組立式吊り具。
【請求項２】
請求項１項記載の組立式吊り具において、前記上部吸盤に吸入吸盤を用いたことを特徴とする組立式吊り具。
【請求項３】
請求項１又は、２項記載の組立式吊り具において、前記下部支持アームの一方の先端部を支持可能に設ける手段として、前記下部吸盤の凸片に形成された軸接孔と、前記下部支持アームの一方の先端部に形成された軸接孔が、回動可能な軸で連結されたことを特徴とする組立式吊り具。
【請求項４】
請求項１又は２記載の組立式吊り具において、前記下部支持アームの一方の先端部を支持可能に設ける手段として、前記下部吸盤の凸片には、前記下部支持アームの一方の先端を乗せるための受け皿が形成されたことを特徴とする組立式吊り具。
【請求項５】
請求項３項記載の組立式吊り具において、前記下部吸盤の凸片には、吊りフックが形成されていることを特徴とする組立式吊り具。
【請求項６】
請求項４項記載の組立式吊り具において、前記下部支持アームの一方の先端を乗せる受け皿には、吊りフックが形成されていることを特徴とする組立式吊り具。
【請求項７】
請求項１〜６項記載のいずれか１項に記載の組立式吊り具において、前記下部支持アームに吊りフックが設けられたことを特徴とする組立式吊り具。
【請求項８】
請求項１〜７項記載のいずれか１項に記載の組立式吊り具において、前記下部支持アームにハンガーなどを掛ける凸片が形成されたことを特徴とする組立式吊り具。
【発明の詳細な説明】
【技術分野】
【０００１】
本発明品は、壁面などに携帯用ハンガーなどを吊り下げる組立式吊り具である。
【背景技術】
【０００２】
本発明品は先の発明と同一の発明者で且つ、同一の出願人が出願した下記特許の関連発明である。
（  出願番号          特願２００３−３７５２６９号  ）
【０００３】
先に出願した上記の発明の組立式吊り具には、支壁面に対し３角形を縦立するために使用する上下２個の吸盤は、吸入吸盤が使用されていた。
【０００４】
先に出願した上記の発明の組立式吊り具の、上部吸入吸盤と上部支持アームの一方の先端を連結する構造は、上部吸入吸盤を吸着させる為の片に軸着されていた。
【０００５】
先に出願した上記の発明の組立式吊り具の、下部吸入吸盤と、下部支持アームの先端を連結する構造は、下部吸入吸盤を吸着させる片に下部支持アームの先端を乗せる受け皿を形成し、前記受け皿に下部支持アームの先端を乗せて連結していた。
【０００６】
尚、先の発明で言う吸入吸盤とは、半球形で、外側は硬質の素材で形成され、内側に柔軟性のある半球形の吸盤が形成され、前記内側の吸盤は外側の半球形に形成された吸着のための片に繋がっており、前記外側の半球形に形成された吸着のための片を作動させることにより、ポンプの要領で、壁面と内側の吸盤の間が半真空状態となって強力に壁面と吸着させる器具である。
一方、本発明で言う吸盤とは、半球形で柔軟性のある素材で構成され、壁面などに押し付けて半球の内部を低圧し、吸着させる器具である。
吸入吸盤は普通の吸盤より、強力な保持力を持ち、且つ高価である。
【発明の開示】
【発明が解決しようとする課題】
【０００７】
先に出願した上記の発明の組立式吊り具の、吸入吸盤は強力に吊り荷を保持出来るが、Tシャツや、下着類・靴下類を干すことを目的としているので吸盤の全てに吸入吸盤を使用するまでの強力な保持力を必要しない場合もあり、吸入吸盤は価格的にも高価であった。
【０００８】
先に出願した上記の発明の組立式吊り具は、下部支持アームの先端を下部吸入吸盤に形成された受け皿に乗せる構成であったので、部品が分かれており紛失の恐れがあった。
【０００９】
先に出願した上記発明の組立式吊り具は、吸入吸盤を上下２個とも使用しており、壁面に吸入吸盤を吸着させるためには、吸着のため外側半球形に形成された片を作動させる必要があり、構成上、上下２個の吸入吸盤を一度の操作で同時に壁面に吸着させることが困難であった。
【課題を解決するための手段】
【００１０】
本発明は上記の課題を解決するために、壁面にハンガーなどを吊り下げる為の組立式吊り具であって、前記組立式吊り具は、支壁面に対し３角形を縦立するように、上下２個の吸盤と上下２本の支持アームからなり、上部吸盤と上部支持アームの一方の先端部は、前記上部吸盤の凸片に連結され、前記上部支持アームの他方の先端部には軸接孔が形成され、下部吸盤の凸片には、一方が棒状で他方に軸接孔が形成された下部支持アームの一方の先端部が支持可能な手段を設け、両端に係止部を有し中央部に吊りフックを有したピンで、前記両支持アームの軸接孔同士を回動可能に連結した組立式吊り具を提供するものである。
【００１１】
また、前記上部吸盤に吸入吸盤を用いても良い。
【００１２】
そして、前記の組立式吊り具において、前記下部支持アームの一方の先端部を支持可能に設ける手段として、前記下部吸盤の凸片に形成された軸接孔と、前記下部支持アームの一方の先端部に形成された軸接孔が、回動可能な軸で連結しても良い。
【００１３】
又、前記下部支持アームの一方の先端部を支持可能に設ける手段として、前記下部吸盤の凸片には、前記下部支持アームの一方の先端を乗せるための受け皿を形成しても良い。
【００１４】
さらに、前記下部吸盤の凸片には、吊りフックを形成しても良い。
【００１５】
且つ、前記下部支持アームの一方の先端を乗せる受け皿には、吊りフックを形成しても良い。
【００１６】
なお、前記下部支持アームに吊りフックを設けても良い。
【００１７】
さらに、前記下部支持アームにハンガーなどを掛ける凸片を形成しても良い。
【００１８】
なお、上部吸盤の凸片と、上部支持アームの一方の先端の連結構造は、前記上部吸盤の凸片と前記上部支持アームの先端部を接着しても良いし、前記上部吸盤の凸片と前記上部支持アーム先端部に軸接孔を形成して、回動可能な軸で連結しても良い。
【発明の効果】
【００１９】
前記、前記組み立て式吊り具は、折畳式ハンガーとセットする事で、旅行先のホテルや病院の部屋などで、壁面、タイル、ガラスなどを利用し、簡単に多数の下着類などの洗濯物を干す事が出来る様になった。
【００２０】
本発明は、Ｔシャツや、下着類を干すことを主な目的としているため、先の発明に使用する様な強力な保持力を発揮する高価な吸入吸盤を上下ともに使用しなくても良く、上部吸盤のみ吸入吸盤を使用し、下部吸盤は普通の吸盤でも良いので安価に提供できる様になった。
【００２１】
先の発明は、使用部品が分かれているので、紛失の恐れがあるが、本発明では使用部品が一体となった構造のものは使用部品の紛失の恐れがなくなった。
【００２２】
先の発明は、上下２個ともに吸入吸盤を使用していたので吸入吸盤を壁面に吸着させるためには、吸入吸盤の構造上吸着のための片を作動させなければならず、組立式吊り具の構成上２個の吸入吸盤を同時に操作して壁面に吸着させることが困難であったが、本発明は普通の吸盤を使用しているので下部アームと下部吸盤を回動可能な軸で連結し、組立式吊り具が一体化されても上下２個の吸盤は一度の操作で壁面に同時に吸着させることが出来るようになった。
【発明を実施するための最良の形態】
【００２３】
コンパクトで可能な限り多くのＴシャツや下着・靴下類を干すと言う目的を、先に出願した発明の組立式吊り具と比較しても、最小の部品点数で、安価に提供することを実現した。
【００２４】
図１は、本発明組立式吊り具の、下部支持アームの一方の先端を受け皿にのせた実施例の分解図であり、材質はプラスチックや、金属をもちいるので、極めて低廉に製造することができる。
尚、本発明に用いる吸盤とは、先にも記載した通り半球形で、透明もしくは半透明で柔軟性のある素材で構成され、壁面などに押し付けて半球の内部を低圧し、吸着させる器具である。
本発明組立式吊り具は、支壁面１に対し３角形を縦立するため、上部吸盤２には、凸片４、凸片４には軸接孔５が形成されている。
上部支持アーム７は、長さ１８，５ｃｍ程度で、一方の先端８には軸接孔９が、他方の先端１０には、直径７ｍｍ程度の軸接孔１５が形成されている。
前記上部吸盤の凸片の軸接孔５と、前記上部支持アームの一方の先端の軸接孔９を連結する軸６がある。
下部支持アーム１１は、長さ２０，５ｃｍ程度で、一方の先端１２と、他方の先端１４には、直径７ｍｍ程度の軸接孔１５が形成され、長さの途中にハンガーなどを掛ける凸片２１が形成されている。
下部吸盤３の凸片２２には、下部支持アーム１１の一方の先端１２を乗せる受け皿２３及び、吊りフック２４を有している
上下両支持アーム７、１１の接続ピン１６は、直径６ｍｍ程度で、両端が係止部１７、１８、であり、ピン中央部に吊りフック１９を有している組み立て式吊り具。
【００２５】
図２は、本発明組立式吊り具の、下部支持アームの一方の先端を受け皿にのせた実施例の組立斜視図である。
上部吸盤２の凸片４に、上部支持アーム７の一方の先端８を挿入し、前記上部吸盤の凸片の軸接孔５及び、前記上部支持アームの一方の先端の軸接孔９に軸６を通すことで上部吸盤の凸片４と上部支持アームは連結される。
上部支持アーム７の他方の先端に形成された軸接孔１５と、下部支持アーム１１の他方の先端１４に形成された軸接孔１５の各々の内側から接続ピン１６を通すことで、両支持アーム７、１１は前記接続ピン１６に有す吊りフック１９を中心に挟み回動可能な状態で連結される。
【００２６】
尚、前記の図１、図２に示した組立式吊り具は支壁面１に下部吸盤３を吸着し、前記下部吸盤３の凸片２２に形成された受け皿２３に、下部支持アームの一方の先端１２を乗せることで、支壁面１に対して３角形を縦立する組立て式吊り具ができる。
【００２７】
下部支持アーム１１には、吊りフックの孔を通す軸２０やフックなどを掛ける凸片２１を形成することで軸接孔の空いた吊りフック２７や従来のハンガーを多く掛けることができる。
【００２８】
図３は、本発明組立式吊り具の、下部吸盤と下部支持アームを軸で連結した構造の分解図である。
材質、及び上部吸盤、上部支持アーム、上下両支持アームの連結ピンの構成は、前記の図１に示した組立式吊り具の構成と同じである。
異なる点は、下部支持アームと下部吸盤との結合構造である。
前記下部支持アームの一方の先端には軸接孔１３が形成されている。そして下部吸盤３の凸片２２には軸接孔２５が形成され、前記下部吸盤の凸片２２の軸接孔２５と前記下部支持アームの一方の先端１２の軸接孔１３を連結する軸２６がある。  
【００２９】
図４は、本発明組立式吊り具の下部吸盤と、下部支持アームを軸で連結した構造の組立斜視図である。
上部吸盤と、上部支持アームの連結構造は前記図２に示した組立式吊り具の構成と同じである。
【００３０】
異なる点は、下部吸盤３の凸片２２に下部アーム１１の一方の先端１２を差込み、接続軸２６を前記下部吸盤の凸片の軸接孔２５及び下部支持アームの一方の先端１２の軸接孔１３に通すことで下部吸盤の凸片２２と下部支持アーム１１は回動可能に連結される。
【００３１】
尚、前記の図３、図４に示した組立式吊り具は、支壁面１に上部吸盤２を吸着し、上下両支持アーム７、１１が支壁面に3角形を縦立するように下部吸盤３を吸着させることで、支壁面１に対して３角形を縦立する組立て式吊り具ができる。
【００３２】
図５は、本発明組立式吊り具の、上部吸盤には吸入吸盤を、下部吸盤には普通の吸盤を使用し、下部吸盤と下部支持アームを軸で連結した構造の分解図である。
尚、この発明で言う吸入吸盤とは、半球形で、外側は硬質の素材で形成され、内側に柔軟性のある半球形の吸盤が形成され、前記内側の吸盤は外側の半球形に形成された吸着のための片に繋がっており、前記外側の半球形に形成された吸着のための片を作動させることにより、ポンプの要領で、壁面と内側の吸盤の間が半真空状態となって強力に壁面と吸着させる器具である。
組立式吊り具の材質、及び上下両支持アームの他方の接続孔、連結ピン、下部支持アームと下部吸盤の連結構造の構成は、前記の図３に示した組立式吊り具の構成と同じである。
異なる点は、上部吸入吸盤及び上部吸入吸盤と上部支持アームとの結合構造である。
前記上部吸入吸盤３０に形成された吸着のための片３１と上部支持アームの一方の先端８は軸着されている。
【００３３】
図６は、本発明組立式吊り具の、上部吸盤には吸入吸盤を、下部吸盤には普通の吸盤を使用し、下部吸盤と下部支持アームを軸で連結した構造の斜視図である。
上部支持アームと下部支持アームの連結構造、下部吸盤と、下部支持アームの連結構造は前記図４に示した組立式吊り具の構成と同じである。
【００３４】
異なる点は、壁面１に上部吸入吸盤３０を押しつけ、前記上部吸入吸盤３０    を吸着させるための片３１に接着されている上部アーム７を回動することで、前記前上部吸入吸盤３０は壁面に吸着される。
【００３５】
尚、前記の図５、図６に示した組立式吊り具は、支壁面１に上部吸入吸盤３０を吸着し、上下両支持アーム７、１１が支壁面に3角形を縦立するように下部吸盤３を吸着させることで、一連の操作で支壁面１に対して３角形を縦立する組立て式吊り具ができる。
【００３６】
図７は、本発明組立式吊り具に、折畳式ハンガーをセットした使用例を示す斜視図である。
この斜視図では、接続ピン１６に１ヵ所、下部支持アーム１１に２ヵ所、合計3ヵ所に吊りフックを設け、折畳式ハンガーを吊り下げた例を示している。
【図面の簡単な説明】
【００３７】
【図１】下部支持アームの先端を受け皿に乗せた実施例の分解図
【図２】下部支持アームの先端を受け皿に乗せた実施例の斜視図
【図３】下部吸盤の凸片と、下部支持アームの先端を連結した実施例の分            解図
【図４】下部吸盤の凸片と、下部支持アームの先端を連結した実施例の斜            視図
【図５】上部吸盤には吸入吸盤を、下部吸盤には普通の吸盤を使用し、          下部吸盤と下部支持アームを軸で連結した構造の分解図である。
【図６】上部吸盤には吸入吸盤を、下部吸盤には普通の吸盤を使用し、          下部吸盤と下部支持アームを軸で連結した構造の斜視図である。
【図７】組立式吊り具と折畳式ハンガーをセットした使用例を示す斜視図
【符号の説明】
【００３８】
１  支壁面
２  上部吸盤
３  下部吸盤
４  上部吸盤の凸片
５  上部吸盤凸片の軸接孔
６  上部吸盤凸片と上部アームを連結する軸
７  上部支持アーム
８  上部支持アームの一方の先端部
９  上部支持アームの一方の先端部の軸接孔
１０  上部支持アームの軸接孔を形成した他方の先端部
１１  下部支持アーム
１２  下部支持アームの一方の先端部
１３  下部支持アームの一方の先端部の軸接孔
１４  下部支持アームの軸接孔を形成した他方の先端部
１５  上部支持アームと下部支持アームの軸接孔
１６  上部支持アームと下部支持アームを結合するピン
１７  ピンの一方の掛止部
１８  ピンの他方の掛止部
１９  ピン中央部に形成された吊りフック
２０  吊りフックの孔を通す軸
２１  フックなどを掛ける凸片
２２  下部吸盤の凸片
２３  下部吸盤の凸片に形成された受け皿
２４  下部吸盤の凸片に形成された吊りフック    
２５  下部吸盤の凸片の軸接孔
２６  下部吸盤凸片と下部アームを連結する軸
２７  軸接孔の空いた吊りフック
２８  折畳式ハンガー
２９  洗濯バサミ
３０  上部吸入吸盤
３１  上部吸入吸盤を吸着させるための片
【要約】
【課題】先に出願した特願（特願２００３−３７５２６９号）の関連発明である。
先に出願した特願の組立式吊り具は、吸入吸盤を使用していたので、強力に吊り荷を保持出来るが、Tシャツや、下着類・靴下類を干すことを目的としているので、そこまでの強力な保持力を必要とせず、価格的にも高価であり、壁面に上下の吸入吸盤を一度の操作で同時に吸着させることが構造上困難であり、部品が分かれているので紛失の恐れもあった。
【解決手段】  本発明は上記の課題を解決するために、壁面にハンガーなどを吊り下げる為の組立式吊り具であって、前記組立式吊り具は、支壁面に対し３角形を縦立するように、上下２個の吸盤と上下２本の支持アームからなり、上部吸盤と上部支持アームの一方の先端部は、前記上部吸盤の凸片に連結され、前記上部支持アームの他方の先端部には軸接孔が形成され、下部吸盤の凸片には、一方が棒状で他方に軸接孔が形成された下部支持アームの一方の先端部が支持可能な手段を設け、両端に係止部を有し中央部に吊りフックを有したピンで、前記両支持アームの軸接孔同士を回動可能に連結した組立式吊り具を提供するものである。
【選択図】図３
【図１】
0003587469.tif 000002
【図２】
0003587469.tif 000003
【図３】
0003587469.tif 000004
【図４】
0003587469.tif 000005
【図５】
0003587469.tif 000006
【図６】
0003587469.tif 000007
【図７】
0003587469.tif 000008